(57)【要約】【課題】コルセット構造を提供する。【解決手段】チューニックの前方の上部外縁に左右側のカップを結合することにより構成されるコルセットであり、チューニックの前方の上部中央に襟部が形成され、襟部の両側に対応するように、それぞれ、チューニックの後方の上縁まで延伸する肩帯が形成され、また、襟部の下方の中央に縦方向溝が形成され、縦方向溝の両側縁が結合装置により結合され、左右側のカップの外側縁が肩帯とチューニック本体の連接位置に結合され、また、襟部に対応する位置に対応する側縁に着用後の緊張度を調整できる調整装置が設置され、また、左右側のカップの内側の上部において、外側縁の近くにパッドを入れ込むための切り口が形成され、パッドが切り口から左右側のカップの内部に収納される。【選択図】図１
0003125641.tif 000002
【実用新案登録請求の範囲】
【請求項１】
伸縮弾性を有するチューニックの前方の上部外縁に左右側のカップが結合されるコルセット構造であって、
チューニックの前方の上部中央に適当な中空部を有する襟部が形成され、当該襟部の両側に、対応するように、それぞれ、チューニックの後方の上縁まで延伸する肩帯が形成され、また、当該襟部の下方の中央に、適当な長さを有する縦方向溝が形成され、当該縦方向溝の両側縁が、結合装置により結合され、当該コルセットを使用する時、結合装置の結合を解除することにより、容易に着用でき、また、結合装置により結合すると、ユーザーの上半身曲線が美しくなり、
当該左右側のカップの外側縁が、肩帯とチューニック本体の連接位置に結合され、また、当該襟部に対応する位置において、対向する側縁に、着用後の緊張度を調整できる調整装置が設置される、ことを特徴とするコルセット構造。
【請求項２】
左右側のカップは、内側の上部において、外側縁の近くに、パッドを入れ込むための切り口が形成されることを特徴とする請求項１に記載のコルセット構造。
【請求項３】
チューニックの下方に、一体化である拘束パンツが設けられることを特徴とする請求項１に記載のコルセット構造。
【請求項４】
拘束パンツの下方の両側に、パンツすそを延伸することを特徴とする請求項３に記載のコルセット構造。
【考案の詳細な説明】
【技術分野】
【０００１】
本考案は、コルセット構造に関し、特に、外衣の内部に着用され、女性ユーザーの胸型が集中して持ち上げられながら、腰を細く拘束できる効果が得られるものに関する。
【背景技術】
【０００２】
図６と７は、既存の従来のコルセット構造であり、ブラジャー本体３０とチューニック４０等の両部分から構成され、使用する時、まず、ブラジャー本体３０を着用し、カップ３１により、ユーザーの胸部が支持され、また、ブラジャー本体３０を着用してから、チューニック４０を、ブラジャー本体３０の下方に着用し、カップ３１の下縁が、チューニック４０の上方に形成した襟部４１により突き押されることにより、胸型が、より集中して持ち上げられるようになり、また、当該チューニック４０により、ユーザーの腰部が細く拘束されて、ユーザーの腰部曲線が良くなる。
【０００３】
以上の従来のコルセット構造は、ユーザーが着用することにより、上半身の曲線が美しくなるが、実際に使用すると、次の問題点がある。
【０００４】
(１)当該コルセットは、ブラジャー本体３０とチューニック４０等の両部分から構成されるため、ユーザーがそれを着用や收納する時、着用手順が複雑で、且つ、別々に収納するため、不便である。
【０００５】
(２)ブラジャー本体３０とチューニック４０とが別々のものであるため、全体としての一致性や協同性が、比較的に悪くなり、当該ブラジャー本体３０とチューニック４０とを同時に着用する時、一致性や協同性が悪いため、上半身曲線を形成する効果が、比較的に低下する。
【０００６】
(３)ブラジャー本体３０とチューニック４０とが別々のもので、また、両者の間に連結されていないため、ユーザーがそれを同時に着用して活動する時、ブラジャー本体３０とチューニック４０とが、別々に移動できるため、調整済みのスタイルが容易に変形する。
【考案の開示】
【考案が解決しようとする課題】
【０００７】
本考案の主な目的は、左右側のカップが一体化にチューニック上に結合され、着用や收納が便利であるだけでなく、腰を細く拘束できると胸部を持ち上げる効果が得られるコルセット構造を提供する。
【０００８】
本考案の他の目的は、左右側のカップが一体化にチューニックに結合され、全体の一致性と協同性が向上されるため、上半身曲線を修正する効果が、大幅に向上されるコルセット構造を提供する。
【０００９】
本考案の他の目的は、左右側のカップが一体化にチューニックに結合され、また、両者が互いに連動するため、別々に移動することがなく、ユーザーが当該コルセットを着用して、活動しても、互いに連動するため、調整済みのスタイルが容易に変形しないコルセット構造を提供する。
【課題を解決するための手段】
【００１０】
請求項１の考案は、伸縮弾性を有するチューニックの前方の上部外縁に左右側のカップが結合されるコルセット構造であって、チューニックの前方の上部中央に適当な中空部を有する襟部が形成され、当該襟部の両側に、対応するように、それぞれ、チューニックの後方の上縁まで延伸する肩帯が形成され、また、当該襟部の下方の中央に、適当な長さを有する縦方向溝が形成され、当該縦方向溝の両側縁が、結合装置により結合され、当該コルセットを使用する時、結合装置の結合を解除することにより、容易に着用でき、また、結合装置により結合すると、ユーザーの上半身曲線が美しくなり、当該左右側のカップの外側縁が、肩帯とチューニック本体の連接位置に結合され、また、当該襟部に対応する位置において、対向する側縁に、着用後の緊張度を調整できる調整装置が設置される、ことを特徴とするコルセット構造である。
【００１１】
請求項２の考案は、左右側のカップの内側の上部において、外側縁の近くに、パッドを入れ込むための切り口が形成されることを特徴とする請求項１に記載のコルセット構造である。
【００１２】
請求項３の考案は、チューニックの下方に、一体化である拘束パンツが設けられることを特徴とする請求項１に記載のコルセット構造である。
【００１３】
請求項４の考案は、拘束パンツの下方の両側に、パンツすそを延伸することを特徴とする請求項３に記載のコルセット構造である。
【考案を実施するための最良の形態】
【００１４】
コルセットは、図１を参照しながら、伸縮弾性を有するチューニック１０の前方の上部外縁に左右側のカップ２０を結合することにより構成され、当該チューニック１０の前方の上部中央に適当な中空部を有する襟部１１が形成され、当該襟部１１の両側に、対応するように、それぞれ、チューニック１０の後方の上縁まで延伸する肩帯１２が形成され、また、当該襟部１１の下方の中央に、適当な長さを有する縦方向溝１３が形成され、当該縦方向溝１３の両側縁が、ファスナー等の結合装置１４により結合され、当該コルセットを使用する時、結合装置１４の結合を解除することにより、着用でき、また、結合装置１４により結合すると、ユーザーの上半身曲線が美しくなり、左右側のカップ２０は、外側縁が、肩帯１２とチューニック１０本体の連接位置に結合され、襟部１１に対応する位置において、対向する側縁に、例えば、係合フックと係合環とからなる調整装置２１が設置され、当該調整装置２１により、着用後の緊張度を調整でき、また、左右側のカップ２０は、内側の上部において、外側縁の近くに、パッド２３を入れ込むための切り口２２が形成される。
【００１５】
図２と３を参照しながら、使用する時、結合装置１４の結合を解除して、調整装置２１を分離し、チューニック１０と左右側のカップ２０とがオープン状態になり、また、当該コルセットをユーザーの上半身に着用し、そして、ユーザーの胸型のサイズに応じて、最適の緊張度が得られるように、調整装置２１を係合し、この時、左右側のカップ２０が、襟部１１の中空部から露出したユーザーの胸部を覆うようになり、そして、結合装置１４を結合することにより、ユーザーの腰部の余肉が、チューニック１０により、拘束されて、上下方へ突き押され、この時、当該突き押し力により、左右側のカップ２０の下方の端面が押されて、胸部が、自然に、集中して持ち上げられる効果が得られ、また、チューニック１０が、腰部全体を覆うため、着用すると、腰部曲線が形成されて、ユーザーの上半身が美しくなり、また、綺麗に外衣を着用できる。
【００１６】
図４を参照しながら、当該チューニック１０の下方に、一体化である拘束パンツ１５が設けられても良く、また、当該拘束パンツ１５の下方の両側に、更に、パンツすそ１６が延伸しても良く、図５を参照しながら、ユーザーが当該一体化拘束パンツ１５を有するチューニック１０を着用すると、腰を細く拘束できる、そして、胸を持ち上げるだけでなく、拘束パンツ１５とパンツすそ１６により、臀部の余肉が持ち上げられて、ももの曲線が修正され、そのため、当該チューニック１０に、下半身曲線を修正する効果が得られる。
【００１７】
上記の具体的な実施例の構造によれば、次の効果が得られる。
【００１８】
１、左右側のカップ２０が一体化にチューニック１０に結合されるため、着用や收納する時、より便利になり、また、一つだけで、同時に、腰を細く拘束することと胸を持ち上げることができるため、当該コルセットの付加価値が向上される。
【００１９】
２、左右側のカップ２０が一体化にチューニック１０に結合されるため、全体の一致性や協同性がより良く、上半身曲線を形成する効果が大幅に向上される。
【００２０】
３、左右側のカップ２０が一体化にチューニック１０に結合され、また、両者が互いに連動するため、別々に移動することがなく、ユーザーが当該コルセットを着用して、活動しても、互いに連動するため、調整済みのスタイルが容易に変形しない。
【図面の簡単な説明】
【００２１】
【図１】本考案の外観図
【図２】本考案を着用する時の状態概念図
【図３】本考案を着用する時の腰を細く拘束することと胸部を持ち上げることの状態概念図
【図４】本考案に係わるチューニックの下方に一体化に拘束パンツが設けられた時の実施例図
【図５】本考案に係わる拘束パンツの下方の両側にパンツすそが延伸する時の実施例図
【図６】従来の分解外観図
【図７】従来の着用する時の状態概念図
【符号の説明】
【００２２】
１０        チューニック
１１        襟部
１２        肩帯
１３        縦方向溝
１４        結合装置
１５        拘束パンツ
１６        パンツすそ
２０        左右側のカップ
２１        調整装置
２２        切り口
２３        パッド
従来部分
３０        ブラジャー本体
３１        カップ
４０        チューニック
４１        襟部
【図１】
0003125641.tif 000003
【図２】
0003125641.tif 000004
【図３】
0003125641.tif 000005
【図４】
0003125641.tif 000006
【図５】
0003125641.tif 000007
【図６】
0003125641.tif 000008
【図７】
0003125641.tif 000009